【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
単一グラフィックス信号から複数のタッチスクリーンデバイスを駆動するための装置であって、
ある特定のディスプレイ解像度のグラフィクス信号を提供するよう構成された汎用コンピュータであって、該グラフィックス信号が、複数のグラフィックスフレームを含むことからなる、汎用コンピュータと、
前記グラフィックス信号の各グラフィックスフレームを、複数のピクセルグループに分割するよう構成されたディスプレイセグメンタであって、該ピクセルグループの各々が、前記複数のタッチスクリーンデバイスのうちのある特定のタッチスクリーンデバイスに関連付けられており、該ディスプレイセグメンタは、該ピクセルグループの各々から個別のグラフィックス信号を生成するよう更に構成されており、該個別のグラフィックス信号の各々は、前記特定のディスプレイ解像度よりも低いディスプレイ解像度を有していることからなる、ディスプレイセグメンタと、
前記個別のグラフィックス信号の各々を、前記複数のタッチスクリーンデバイスのうちのある異なるタッチスクリーンデバイスに伝達するよう構成された１つか又は複数のインターフェース
とを備える、装置。
【請求項２】
前記ピクセルグループの各々が、前記関連付けられた特定のタッチスクリーンデバイス上のディスプレイのディスプレイ解像度にサイズ調整される、請求項１に記載の装置。
【請求項３】
前記複数のピクセルグループのうちの２つか又は３つ以上のピクセルグループが、異なるサイズに調整されて、関連付けられたタッチスクリーンデバイスについて異なるディスプレイ解像度が提供される、請求項２に記載の装置。
【請求項４】
前記ディスプレイが、液晶ディスプレイ（ＬＣＤ）である、請求項２に記載の装置。
【請求項５】
前記複数のピクセルグループのうちのどのピクセルグループのうちの一部でもない少なくとも幾つかのピクセルを、前記各グラフィックスフレームが含む、請求項１に記載の装置。
【請求項６】
イーサネット伝送経路上の伝送のために、前記個別のグラフィックス信号のうちの少なくとも幾つかをシリアル化するよう構成された１つか又は複数のビデオシリアライザ
を更に備え、
前記１つか又は複数のインターフェースのうちの少なくとも幾つかが、イーサネット伝送経路に対する接続ポートであることからなる、請求項１に記載の装置。
【請求項７】
前記特定のディスプレイ解像度の前記グラフィックス信号が、ディジタルビジュアルインターフェース（ＤＶＩ）グラフィックス信号である、請求項１に記載の装置。
【請求項８】
前記特定のディスプレイ解像度が、１９２０×１２００ピクセルであり、及び、
前記個別のグラフィックス信号のうちの少なくとも１つが、６４０×４８０ピクセルのディスプレイ解像度を有することからなる、請求項１に記載の装置。
【請求項９】
各タッチスクリーンデバイスからの座標を単一スクリーン空間へとマッピングするよう前記ディスプレイセグメンタが更に構成されており、該座標は、前記タッチスクリーンデバイス上のタッチ位置を表していることからなる、請求項１に記載の装置。
【請求項１０】
前記座標が、ｘ軸座標とｙ軸座標とを含み、前記ディスプレイセグメンタが、該ｘ軸座標と該ｙ軸座標とに対してオフセット値を付加して、新規のｘ軸座標と新規のｙ軸座標とを生成するよう更に構成されていることからなる、請求項９に記載の装置。
【請求項１１】
前記ｘ軸座標及び前記ｙ軸座標を提供した前記タッチスクリーンデバイスに関連付けられた前記ピクセルグループの各グラフィックスフレーム内における前記位置に応答して、前記オフセット値が生成される、請求項１０に記載の装置。
【請求項１２】
単一グラフィックス信号から複数のタッチスクリーンデバイスを駆動するための方法であって、
ある特定のディスプレイ解像度のグラフィクス信号を提供し、該グラフィックス信号は、複数のグラフィックスフレームを含んでおり、
前記グラフィックス信号の各グラフィックスフレームを、複数のピクセルグループに分割し、該ピクセルグループの各々は、前記複数のタッチスクリーンデバイスのうちのある特定のタッチスクリーンデバイスに関連付けられており、
前記ピクセルグループの各々から個別のグラフィックス信号を生成し、該個別のグラフィックス信号の各々は、前記特定のディスプレイ解像度よりも低いディスプレイ解像度を有しており、及び、
前記個別のグラフィックス信号の各々を、前記複数のタッチスクリーンデバイスのうちのある異なるタッチスクリーンデバイスに伝達する
ことを含む、方法。
【請求項１３】
ピクセルグループの各々を、前記関連付けられた特定のタッチスクリーンデバイス上のディスプレイのディスプレイ解像度にサイズ調整する
ことを更に含むことからなる、請求項１２に記載の方法。
【請求項１４】
前記サイズ調整することが、
前記複数のピクセルグループのうちの２つか又は３つ以上のピクセルグループを、異なるサイズとなるように提供して、関連付けられたタッチスクリーンデバイスについて異なるディスプレイ解像度が提供される
ことを更に含むことからなる、請求項１３に記載の方法。
【請求項１５】
前記複数のピクセルグループのうちのどのピクセルグループのうちの一部でもない少なくとも幾つかのピクセルを、前記グラフィックスフレーム内に含める
ことを更に含むことからなる、請求項１２に記載の方法。
【請求項１６】
イーサネット伝送経路上の伝送のために、前記個別のグラフィックス信号のうちの少なくとも幾つかをシリアル化する
ことを更に含むことからなる、請求項１２に記載の方法。
【請求項１７】
各タッチスクリーンデバイスからの座標を単一スクリーン空間へとマッピングする
ことを更に含み、前記座標は、前記タッチスクリーンデバイス上のタッチ位置を表していることからなる、請求項１２に記載の方法。
【請求項１８】
前記座標が、ｘ軸座標とｙ軸座標とを含み、及び、前記方法が、
前記ｘ軸座標と前記ｙ軸座標とに対してオフセット値を付加して、新規のｘ軸座標と新規のｙ軸座標とを生成する
ことを更に含むことからなる、請求項１７に記載の方法。
【請求項１９】
前記ｘ軸座標及び前記ｙ軸座標を提供した前記タッチスクリーンデバイスに関連付けられた前記ピクセルグループの各グラフィックスフレーム内における前記位置に応答して、前記オフセット値を生成する
ことを更に含むことからなる、請求項１８に記載の方法。
【請求項２０】
単一グラフィックス信号から複数のタッチスクリーンデバイスを駆動するための装置であって、
ある特定のディスプレイ解像度のグラフィクス信号を提供するための手段であって、該グラフィックス信号が、複数のグラフィックスフレームを含んでいることからなる、手段と、
前記グラフィックス信号の各グラフィックスフレームを、複数のピクセルグループに分割するための手段であって、該ピクセルグループの各々が、前記複数のタッチスクリーンデバイスのうちのある特定のタッチスクリーンデバイスに関連付けられていることからなる、手段と、
前記ピクセルグループの各々から個別のグラフィックス信号を生成するための手段であって、該個別のグラフィックス信号の各々が、前記特定のディスプレイ解像度よりも低いディスプレイ解像度を有していることからなる、手段と、
前記個別のグラフィックス信号の各々を、前記複数のタッチスクリーンデバイスのうちのある異なるタッチスクリーンデバイスに伝達するための手段
とを備える、装置。